Podtech/llm-jp-corpus-v4-ja_patent huggingface dataset:
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
所定の表示手段と、
遊技の進行を制御する主制御手段と、
演出を制御する副制御手段と
を備え、
前記主制御手段は、
抽選を行う抽選手段と、
演出グループ情報を導出するための演出グループ情報生成テーブルを記憶した記憶手段と
を備え、
前記抽選手段により決定され得る当選番号として、第１当選番号と第２当選番号とを有し、
第１当選番号が決定された遊技では、ストップスイッチが第１の操作態様で操作された場合に遊技者にとって有利となる図柄組合せを停止表示可能であり、
第２当選番号が決定された遊技では、ストップスイッチが第２の操作態様で操作された場合に遊技者にとって有利となる図柄組合せを停止表示可能であり、
第１当選番号が決定された遊技では、特定のアドレスを基準アドレスとし、第１当選番号に対応する情報をオフセット値とすることにより、前記演出グループ情報生成テーブルから演出グループ情報を導出可能とし、導出した演出グループ情報を前記副制御手段へ送信可能に構成されており、
第２当選番号が決定された遊技では、前記特定のアドレスを基準アドレスとし、第２当選番号に対応する情報をオフセット値とすることにより、前記演出グループ情報生成テーブルから演出グループ情報を導出可能とし、導出した演出グループ情報を前記副制御手段へ送信可能に構成されており、
第１当選番号が決定された遊技で導出される演出グループ情報と第２所定役が決定された遊技で導出される演出グループ情報は、同一の情報であり、
遊技区間として、通常区間と有利区間とを有し、
通常区間では、第１当選番号が決定された遊技において、前記所定の表示手段によって有利な操作態様を報知せず、
有利区間では、第１当選番号が決定された遊技において、前記所定の表示手段によって有利な操作態様を報知する場合を有し、
有利区間における遊技が所定の遊技回数となった場合に、有利区間を終了するようにする
ことを特徴とする回胴式遊技機。
【手続補正２】
【補正対象書類名】明細書
【補正対象項目名】０００６
【補正方法】変更
【補正の内容】
【０００６】
本態様に係る遊技機は、
複数のリールと、
複数のストップスイッチと、
所定の表示手段と、
遊技の進行を制御する主制御手段と、
演出を制御する副制御手段と
を備え、
前記主制御手段は、
抽選を行う抽選手段と、
演出グループ情報を導出するための演出グループ情報生成テーブルを記憶した記憶手段と
を備え、
前記抽選手段により決定され得る当選番号として、第１当選番号と第２当選番号とを有し、
第１当選番号が決定された遊技では、ストップスイッチが第１の操作態様で操作された場合に遊技者にとって有利となる図柄組合せを停止表示可能であり、
第２当選番号が決定された遊技では、ストップスイッチが第２の操作態様で操作された場合に遊技者にとって有利となる図柄組合せを停止表示可能であり、
第１当選番号が決定された遊技では、特定のアドレスを基準アドレスとし、第１当選番号に対応する情報をオフセット値とすることにより、前記演出グループ情報生成テーブルから演出グループ情報を導出可能とし、導出した演出グループ情報を前記副制御手段へ送信可能に構成されており、
第２当選番号が決定された遊技では、前記特定のアドレスを基準アドレスとし、第２当選番号に対応する情報をオフセット値とすることにより、前記演出グループ情報生成テーブルから演出グループ情報を導出可能とし、導出した演出グループ情報を前記副制御手段へ送信可能に構成されており、
第１当選番号が決定された遊技で導出される演出グループ情報と第２所定役が決定された遊技で導出される演出グループ情報は、同一の情報であり、
遊技区間として、通常区間と有利区間とを有し、
通常区間では、第１当選番号が決定された遊技において、前記所定の表示手段によって有利な操作態様を報知せず、
有利区間では、第１当選番号が決定された遊技において、前記所定の表示手段によって有利な操作態様を報知する場合を有し、
有利区間における遊技が所定の遊技回数となった場合に、有利区間を終了するようにする
ことを特徴とする回胴式遊技機である。
＜付記＞
尚、本態様とは異なる別態様について以下に列記しておくが、これらには何ら限定されることなく実施することが可能である。
本別態様に係る遊技機は、
複数のリール（例えば、リールＭ５０）と、
複数のストップスイッチ（例えば、停止ボタンＤ４０）と、
情報を表示可能な情報表示部（例えば、押し順表示装置Ｄ２７０）と
を備え、
役抽選を行う役抽選手段による抽選の結果に応じて当選情報及び出玉情報を決定し、
或る前記当選情報に対応する前記出玉情報と別の前記当選情報に対応する前記出玉情報とが同一の情報として決定され得るよう構成されており、
所定の報知状態に制御されている状況下において、少なくとも役抽選手段により所定の当選情報が決定された遊技で、前記所定の当選情報に対応するストップスイッチ（例えば、停止ボタンＤ４０）の操作態様を特定可能な情報を情報表示部（例えば、押し順表示装置Ｄ２７０）に表示し得るよう構成されており、
前記出玉情報に基づき、前記所定の報知状態の制御に関する抽選を実行可能に構成されている
ことを特徴とする回胴式遊技機である。
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
遊技の進行を制御する主制御手段と、
演出を制御する副制御手段と
を備え、
前記主制御手段は、
抽選を行う抽選手段と、
演出グループ情報を導出するための演出グループ情報生成テーブルを記憶した第１の記憶手段と、
遊技の進行によって情報を更新可能な第２の記憶手段と
を備え、
前記抽選手段により決定され得る当選番号として、第１当選番号と第２当選番号とを有し、
第１当選番号が決定された遊技では、ストップスイッチが第１の操作態様で操作された場合に遊技者にとって有利となる図柄組合せを停止表示可能であり、
第２当選番号が決定された遊技では、ストップスイッチが第２の操作態様で操作された場合に遊技者にとって有利となる図柄組合せを停止表示可能であり、
第１当選番号が決定された遊技では、特定のアドレスを基準アドレスとし、第１当選番号に対応する情報をオフセット値とすることにより、前記演出グループ情報生成テーブルから演出グループ情報を導出可能とし、導出した演出グループ情報を前記副制御手段へ送信可能に構成されており、
第２当選番号が決定された遊技では、前記特定のアドレスを基準アドレスとし、第２当選番号に対応する情報をオフセット値とすることにより、前記演出グループ情報生成テーブルから演出グループ情報を導出可能とし、導出した演出グループ情報を前記副制御手段へ送信可能に構成されており、
第１当選番号が決定された遊技で導出される演出グループ情報と第２所定役が決定された遊技で導出される演出グループ情報は、同一の情報であり、
遊技区間として、通常区間と有利区間とを有し、
設定変更に伴う第２の記憶手段の初期化範囲と、所定の終了条件を満たしたことに基づいて有利区間が終了したことに伴う第２の記憶手段の初期化範囲は異なる
ことを特徴とする回胴式遊技機。
【手続補正２】
【補正対象書類名】明細書
【補正対象項目名】０００６
【補正方法】変更
【補正の内容】
【０００６】
本態様に係る遊技機は、
複数のリールと、
複数のストップスイッチと、
遊技の進行を制御する主制御手段と、
演出を制御する副制御手段と
を備え、
前記主制御手段は、
抽選を行う抽選手段と、
演出グループ情報を導出するための演出グループ情報生成テーブルを記憶した第１の記憶手段と、
遊技の進行によって情報を更新可能な第２の記憶手段と
を備え、
前記抽選手段により決定され得る当選番号として、第１当選番号と第２当選番号とを有し、
第１当選番号が決定された遊技では、ストップスイッチが第１の操作態様で操作された場合に遊技者にとって有利となる図柄組合せを停止表示可能であり、
第２当選番号が決定された遊技では、ストップスイッチが第２の操作態様で操作された場合に遊技者にとって有利となる図柄組合せを停止表示可能であり、
第１当選番号が決定された遊技では、特定のアドレスを基準アドレスとし、第１当選番号に対応する情報をオフセット値とすることにより、前記演出グループ情報生成テーブルから演出グループ情報を導出可能とし、導出した演出グループ情報を前記副制御手段へ送信可能に構成されており、
第２当選番号が決定された遊技では、前記特定のアドレスを基準アドレスとし、第２当選番号に対応する情報をオフセット値とすることにより、前記演出グループ情報生成テーブルから演出グループ情報を導出可能とし、導出した演出グループ情報を前記副制御手段へ送信可能に構成されており、
第１当選番号が決定された遊技で導出される演出グループ情報と第２所定役が決定された遊技で導出される演出グループ情報は、同一の情報であり、
遊技区間として、通常区間と有利区間とを有し、
設定変更に伴う第２の記憶手段の初期化範囲と、所定の終了条件を満たしたことに基づいて有利区間が終了したことに伴う第２の記憶手段の初期化範囲は異なる
ことを特徴とする回胴式遊技機である。
＜付記＞
尚、本態様とは異なる別態様について以下に列記しておくが、これらには何ら限定されることなく実施することが可能である。
本別態様に係る遊技機は、
複数のリール（例えば、リールＭ５０）と、
複数のストップスイッチ（例えば、停止ボタンＤ４０）と、
情報を出力可能な情報出力部（例えば、演出表示装置Ｓ４０）と
を備え、
役抽選を行う役抽選手段により所定役が当選した遊技において、前記複数のストップスイッチ（例えば、停止ボタンＤ４０）における一部のストップスイッチ（例えば、停止ボタンＤ４０）が所定の操作態様にて操作された時点で、所定の図柄組合せが表示されることが確定的となり、
役抽選を行う役抽選手段により前記所定役が当選した遊技において、前記複数のストップスイッチ（例えば、停止ボタンＤ４０）における一部のストップスイッチ（例えば、停止ボタンＤ４０）が前記所定の操作態様にて操作されなかった時点で、前記所定の図柄組合せが表示されないことが確定的となるよう構成されており、
前記所定役が当選した遊技において、前記複数のストップスイッチ（例えば、停止ボタンＤ４０）における一部のストップスイッチ（例えば、停止ボタンＤ４０）に関する前記所定の操作態様を特定可能な情報を情報出力部（例えば、演出表示装置Ｓ４０）にて出力するとともに、前記複数のストップスイッチ（例えば、停止ボタンＤ４０）における残りのストップスイッチ（例えば、停止ボタンＤ４０）に関する操作態様を特定可能な情報も情報出力部（例えば、演出表示装置Ｓ４０）にて出力可能に構成されている
ことを特徴とする回胴式遊技機である。
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
遊技の進行を制御する主制御手段と、
演出を制御する副制御手段と
を備え、
前記主制御手段は、
抽選を行う抽選手段と、
演出グループ情報を導出するための演出グループ情報生成テーブルを記憶した記憶手段と
を備え、
前記抽選手段により決定され得る当選番号として、第１当選番号と第２当選番号と第３当選番号とを有し、
第１当選番号が決定された遊技では、ストップスイッチが第１の操作態様で操作された場合に遊技者にとって有利となる図柄組合せを停止表示可能であり、
第２当選番号が決定された遊技では、ストップスイッチが第２の操作態様で操作された場合に遊技者にとって有利となる図柄組合せを停止表示可能であり、
第３当選番号が決定された遊技では、ストップスイッチが特定の操作態様で操作された場合に特別遊技状態に移行することとなる図柄組合せを停止表示可能であり、
第１当選番号が決定された遊技では、特定のアドレスを基準アドレスとし、第１当選番号に対応する情報をオフセット値とすることにより、前記演出グループ情報生成テーブルから演出グループ情報を導出可能とし、導出した演出グループ情報を前記副制御手段へ送信可能に構成されており、
第２当選番号が決定された遊技では、前記特定のアドレスを基準アドレスとし、第２当選番号に対応する情報をオフセット値とすることにより、前記演出グループ情報生成テーブルから演出グループ情報を導出可能とし、導出した演出グループ情報を前記副制御手段へ送信可能に構成されており、
第１当選番号が決定された遊技で導出される演出グループ情報と第２所定役が決定された遊技で導出される演出グループ情報は、同一の情報であり、
第１当選番号は、「Ｎ（ただし、Ｎは数値）」未満の数値であり、
第２当選番号は、「Ｎ」未満の数値であり、
第３当選番号は、「Ｎ」未満ではない数値であり、
第３当選番号が決定された場合には、前記演出グループ情報生成テーブルは使用しない
ことを特徴とする回胴式遊技機。
【手続補正２】
【補正対象書類名】明細書
【補正対象項目名】０００６
【補正方法】変更
【補正の内容】
【０００６】
本態様に係る遊技機は、
複数のリールと、
複数のストップスイッチと、
遊技の進行を制御する主制御手段と、
演出を制御する副制御手段と
を備え、
前記主制御手段は、
抽選を行う抽選手段と、
演出グループ情報を導出するための演出グループ情報生成テーブルを記憶した記憶手段と
を備え、
前記抽選手段により決定され得る当選番号として、第１当選番号と第２当選番号と第３当選番号とを有し、
第１当選番号が決定された遊技では、ストップスイッチが第１の操作態様で操作された場合に遊技者にとって有利となる図柄組合せを停止表示可能であり、
第２当選番号が決定された遊技では、ストップスイッチが第２の操作態様で操作された場合に遊技者にとって有利となる図柄組合せを停止表示可能であり、
第３当選番号が決定された遊技では、ストップスイッチが特定の操作態様で操作された場合に特別遊技状態に移行することとなる図柄組合せを停止表示可能であり、
第１当選番号が決定された遊技では、特定のアドレスを基準アドレスとし、第１当選番号に対応する情報をオフセット値とすることにより、前記演出グループ情報生成テーブルから演出グループ情報を導出可能とし、導出した演出グループ情報を前記副制御手段へ送信可能に構成されており、
第２当選番号が決定された遊技では、前記特定のアドレスを基準アドレスとし、第２当選番号に対応する情報をオフセット値とすることにより、前記演出グループ情報生成テーブルから演出グループ情報を導出可能とし、導出した演出グループ情報を前記副制御手段へ送信可能に構成されており、
第１当選番号が決定された遊技で導出される演出グループ情報と第２所定役が決定された遊技で導出される演出グループ情報は、同一の情報であり、
第１当選番号は、「Ｎ（ただし、Ｎは数値）」未満の数値であり、
第２当選番号は、「Ｎ」未満の数値であり、
第３当選番号は、「Ｎ」未満ではない数値であり、
第３当選番号が決定された場合には、前記演出グループ情報生成テーブルは使用しない
ことを特徴とする回胴式遊技機。
＜付記＞
尚、本態様とは異なる別態様について以下に列記しておくが、これらには何ら限定されることなく実施することが可能である。
本別態様に係る回胴式遊技機は、
遊技の進行を制御する主遊技部（例えば、主制御基板Ｍ）と、
主遊技部（例えば、主制御基板Ｍ）と接続された副遊技部（例えば、副制御基板Ｓ）と
を備え、
主遊技部（例えば、主制御基板Ｍ）は、
役抽選を行う役抽選手段と、
副遊技部（例えば、副制御基板Ｓ）への情報送信を行う情報送信手段と
を備え、
役抽選手段による役抽選の結果に応じて当選情報を決定し、
前記当選情報に基づき、小役又は再遊技役の種類に応じて異なる小役・再遊技役当選情報を導出可能であり、
前記小役・再遊技役当選情報に対応する演出グループ情報を導出して副遊技部（例えば、副制御基板Ｓ）へ送信可能に構成されており、
前記小役・再遊技役当選情報を前記演出グループ情報に変換するための変換テーブルを有し、前記変換テーブルには、前記演出グループ情報に関する情報が記憶されており、
或る前記小役・再遊技役当選情報に対応する前記演出グループ情報を導出する場合には、前記変換テーブルを用いてＸ回演算して演出グループ情報Ａを導出可能とし、当該或る前記小役・再遊技役当選情報とは別の前記小役・再遊技役当選情報に対応する前記演出グループ情報を導出する場合には、前記変換テーブルを用いてＹ回演算して前記演出グループ番号Ｂを導出可能となるよう構成されている
ことを特徴とする回胴式遊技機である。
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
加熱可能である上下に伸びた略筒形状の鏝先と、前記鏝先の下端部に設けられた複数の半田付け箇所の一部又は全部を覆う凹部と、前記鏝先内にガスを送出するガス供給部と、前記鏝先内に複数箇所分の半田量を供給する半田供給部とを備え、前記鏝先内に半田片を供給して溶融するとともに前記ガスの流体力により前記複数の半田付け箇所に溶融した半田を分配して供給することを特徴とする半田処理装置。
【請求項２】
前記複数の半田付けの箇所の端部から前記ガスを流すことにより溶融半田の分配を促進することを特徴とする請求項１記載の半田処理装置。
【請求項３】
前記複数の半田付けのそれぞれ箇所の間に前記ガスを流すことにより溶融半田の分配を促進することを特徴とする請求項１記載の半田処理装置。
【請求項４】
前記半田片の溶融時に、前記鏝先を半田付け箇所の方向に移動させ溶融半田を分配することを特徴とする請求項１に記載の半田処理装置。
【請求項５】
前記半田片の溶融時に前記ガスの流量を一時的に増加させることを特徴とする請求項１〜４のいずれか１項に記載の半田処理装置。
【手続補正２】
【補正対象書類名】明細書
【補正対象項目名】０００６
【補正方法】変更
【補正の内容】
【０００６】
本発明の半田処理装置は、加熱可能である上下に伸びた略筒形状の鏝先と、鏝先の下端部に設けられた複数の半田付け箇所の一部又は全部を覆う凹部と、鏝先内にガスを送出するガス供給部と、鏝先内に複数箇所分の半田量を供給する半田供給部とを備え、鏝先内に半田片を供給して溶融するとともにガスの流体力により複数の半田付け箇所に溶融した半田を分配して供給することにより多点のはんだ付けを行うものである。
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
外周面に第１図柄および第２図柄を含む複数種類の図柄が配列されている複数のリールと、
役の当否を決定する内部抽選を行う内部抽選手段と、
前記複数のリールを遊技毎に回転させ、停止操作を契機として内部抽選の結果に応じた態様で回転中のリールを停止させる制御を行うリール制御手段と、
前記複数のリールが停止した状態で、役毎に予め定められた入賞形態を示す図柄組合せが有効ライン上に表示されたことに基づいて、役が入賞したと判定する入賞判定処理を行う入賞判定手段と、
役が入賞した場合に、入賞した役に対応した入賞時処理を実行する入賞時処理手段と、
遊技の進行状況に応じて画像表示装置に演出画像を表示させる制御を行う演出制御手段と、を備え、
前記演出制御手段が、
内部抽選で当選した役に対応する入賞形態を示す図柄組合せが前記第１図柄を含んでいるが前記第２図柄を含んでおらず、前記第１図柄を示す表示物または前記第１図柄を模した図柄を示す表示物のいずれかである特定表示物と、前記第２図柄を示す表示物または前記第２図柄を模した図柄を示す表示物のいずれかである非特定表示物とを含む演出画像を回転中のリールが存在している状況で前記画像表示装置に表示させる場合に、特定表示物を残して非特定表示物を演出画像から消去するタイミングを設定し、
前記非特定表示物を演出画像から消去するタイミングを全てのリールが停止する前のタイミングに設定した場合には、設定したタイミングにおいて遊技の結果に関わらずに当該非特定表示物を演出画像から消去することを特徴とする遊技機。
【請求項２】
外周面に第１図柄および第２図柄を含む複数種類の図柄が配列されている複数のリールと、
役の当否を決定する内部抽選を行う内部抽選手段と、
前記複数のリールを遊技毎に回転させ、停止操作を契機として内部抽選の結果に応じた態様で回転中のリールを停止させる制御を行うリール制御手段と、
前記複数のリールが停止した状態で、役毎に予め定められた入賞形態を示す図柄組合せが有効ライン上に表示されたことに基づいて、役が入賞したと判定する入賞判定処理を行う入賞判定手段と、
役が入賞した場合に、入賞した役に対応した入賞時処理を実行する入賞時処理手段と、
遊技の進行状況に応じて画像表示装置に演出画像を表示させる制御を行う演出制御手段と、を備え、
前記演出制御手段が、
内部抽選で当選した役に対応する入賞形態を示す図柄組合せが前記第１図柄を含んでいるが前記第２図柄を含んでおらず、前記第１図柄を示す表示物または前記第１図柄を模した図柄を示す表示物のいずれかである特定表示物と、前記第２図柄を示す表示物または前記第２図柄を模した図柄を示す表示物のいずれかである非特定表示物とを含む演出画像を回転中のリールが存在している状況で前記画像表示装置に表示させる場合に、特定表示物を残して非特定表示物を演出画像から消去するタイミングを設定し、
前記非特定表示物を演出画像から消去するタイミングを全てのリールが停止した時以降のタイミングに設定した場合には、前記第１図柄を含む入賞形態を示す図柄組合せが有効ライン上に表示されている場合に、設定したタイミングにおいて当該非特定表示物を演出画像から消去することを特徴とする遊技機。
【請求項３】
外周面に第１図柄および第２図柄を含む複数種類の図柄が配列されている複数のリールと、
役の当否を決定する内部抽選を行う内部抽選手段と、
前記複数のリールを遊技毎に回転させ、停止操作を契機として内部抽選の結果に応じた態様で回転中のリールを停止させる制御を行うリール制御手段と、
前記複数のリールが停止した状態で、役毎に予め定められた入賞形態を示す図柄組合せが有効ライン上に表示されたことに基づいて、役が入賞したと判定する入賞判定処理を行う入賞判定手段と、
役が入賞した場合に、入賞した役に対応した入賞時処理を実行する入賞時処理手段と、
遊技の進行状況に応じて画像表示装置に演出画像を表示させる制御を行う演出制御手段と、を備え、
前記演出制御手段が、
内部抽選で当選した役に対応する入賞形態を示す図柄組合せが前記第１図柄を含んでいるが前記第２図柄を含んでおらず、前記第１図柄を示す表示物または前記第１図柄を模した図柄を示す表示物のいずれかである特定表示物と、前記第２図柄を示す表示物または前記第２図柄を模した図柄を示す表示物のいずれかである非特定表示物とを含む演出画像を回転中のリールが存在している状況で前記画像表示装置に表示させる場合に、特定表示物を残して非特定表示物を演出画像から消去するタイミングを設定し、
前記非特定表示物を演出画像から消去するタイミングを全てのリールが停止した時以降のタイミングに設定した場合には、前記第１図柄を含む入賞形態を示す図柄組合せが有効ライン上に表示されていない場合に当該非特定表示物を演出画像から消去しないことを特徴とする遊技機。
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
外周面に特定図柄を含む複数種類の図柄が配列されている複数のリールと、
役の当否を決定する内部抽選を行う内部抽選手段と、
前記複数のリールを遊技毎に回転させ、停止操作を契機として内部抽選の結果に応じた態様で回転中のリールを停止させる制御を行うリール制御手段と、
前記複数のリールが停止した状態で、役毎に予め定められた入賞形態を示す図柄組合せが有効ライン上に表示されたことに基づいて、役が入賞したと判定する入賞判定処理を行う入賞判定手段と、
役が入賞した場合に、入賞した役に対応した入賞時処理を実行する入賞時処理手段と、
遊技の進行状況に応じて画像表示装置に演出画像を表示させる制御を行う演出制御手段と、を備え、
内部抽選で第１の抽選結果を得た場合には、当選した役に対応する入賞形態を示す図柄組合せに前記特定図柄が含まれており、
内部抽選で第２の抽選結果を得た場合には、当選した役に対応する入賞形態を示す図柄組合せに前記特定図柄が含まれておらず、
前記演出制御手段が、
内部抽選で前記第１の抽選結果を得た遊技では、回転中のリールが存在している状況で、前記特定図柄を示す表示物または前記特定図柄を模した図柄を示す表示物のいずれかである特定表示物を含む演出画像を前記画像表示装置に表示可能とし、全てのリールが停止した状況において特定表示物が表示されていないように、演出画像を変化させることを特徴とする遊技機。
【請求項２】
外周面に特定図柄を含む複数種類の図柄が配列されている複数のリールと、
役の当否を決定する内部抽選を行う内部抽選手段と、
前記複数のリールを遊技毎に回転させ、停止操作を契機として内部抽選の結果に応じた態様で回転中のリールを停止させる制御を行うリール制御手段と、
前記複数のリールが停止した状態で、役毎に予め定められた入賞形態を示す図柄組合せが有効ライン上に表示されたことに基づいて、役が入賞したと判定する入賞判定処理を行う入賞判定手段と、
役が入賞した場合に、入賞した役に対応した入賞時処理を実行する入賞時処理手段と、
遊技の進行状況に応じて画像表示装置に演出画像を表示させる制御を行う演出制御手段と、を備え、
内部抽選で第１の抽選結果を得た場合には、当選した役に対応する入賞形態を示す図柄組合せに前記特定図柄が含まれており、
内部抽選で第２の抽選結果を得た場合には、当選した役に対応する入賞形態を示す図柄組合せに前記特定図柄が含まれておらず、
前記演出制御手段が、
内部抽選で前記第１の抽選結果を得た遊技では、回転中のリールが存在している状況で、前記特定図柄を示す表示物または前記特定図柄を模した図柄を示す表示物のいずれかである特定表示物を含む演出画像を前記画像表示装置に表示可能とし、前記複数のリールのうち最後に停止するリールに対応する停止操作に関連づけて特定表示物を含まない演出画像に変化させることを特徴とする遊技機。
【請求項３】
外周面に特定図柄を含む複数種類の図柄が配列されている複数のリールと、
役の当否を決定する内部抽選を行う内部抽選手段と、
前記複数のリールを遊技毎に回転させ、停止操作を契機として内部抽選の結果に応じた態様で回転中のリールを停止させる制御を行うリール制御手段と、
前記複数のリールが停止した状態で、役毎に予め定められた入賞形態を示す図柄組合せが有効ライン上に表示されたことに基づいて、役が入賞したと判定する入賞判定処理を行う入賞判定手段と、
役が入賞した場合に、入賞した役に対応した入賞時処理を実行する入賞時処理手段と、
遊技の進行状況に応じて画像表示装置に演出画像を表示させる制御を行う演出制御手段と、を備え、
内部抽選で第１の抽選結果を得た場合には、当選した役に対応する入賞形態を示す図柄組合せに前記特定図柄が含まれており、
内部抽選で第２の抽選結果を得た場合には、当選した役に対応する入賞形態を示す図柄組合せに前記特定図柄が含まれておらず、
前記演出制御手段が、
内部抽選で前記第１の抽選結果を得た遊技では、回転中のリールが存在している状況で、前記特定図柄を示す表示物または前記特定図柄を模した図柄を示す表示物のいずれかである特定表示物を含む演出画像を前記画像表示装置に表示可能とし、内部抽選で前記第２の抽選結果を得た遊技では、特定表示物を含む演出画像を前記画像表示装置に表示しないように制御することを特徴とする遊技機。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
所定の始動条件の成立によりゲームを実行し、該ゲームが特別結果となった場合に遊技者に特典を付与する特別遊技状態を発生させる遊技制御を行う遊技制御手段を備えた遊技機において、
前記遊技制御手段は、
遊技制御プログラムを記憶する遊技制御プログラム記憶手段と、
前記遊技制御プログラムにより所要の演算処理を行う演算処理手段と、
前記演算処理手段によって更新される情報が記憶される更新情報記憶手段と、を備え、
前記更新情報記憶手段には複数バイトのアドレスが割り当てられ、該アドレスにより該更新情報記憶手段に記憶されている情報が特定され、
前記演算処理手段は、
前記所定の始動条件の成立に基づき、乱数を抽出し前記ゲームの実行権利として前記更新情報記憶手段の乱数格納領域に記憶可能な記憶手段を備え、
汎用レジスタを使用せずに前記更新情報記憶手段の所定の領域をクリアするクリア命令を実行可能に構成され、
前記クリア命令によって、前記更新情報記憶手段の前記乱数格納領域の少なくとも一部をクリアすることを特徴とする遊技機。
【請求項２】
所定の始動条件の成立によりゲームを実行し、該ゲームが特別結果となった場合に遊技者に特典を付与する特別遊技状態を発生させる遊技制御を行う遊技制御手段を備えた遊技機において、
前記遊技制御手段は、
遊技制御プログラムを記憶する遊技制御プログラム記憶手段と、
前記遊技制御プログラムにより所要の演算処理を行う演算処理手段と、
前記演算処理手段によって更新される情報が記憶される更新情報記憶手段と、を備え、
前記更新情報記憶手段は、
複数バイトのアドレスが割り当てられ、該アドレスにより該更新情報記憶手段に記憶されている情報が特定され、
所定のアドレスに対応して設けられて当該遊技機の異常の検出状態をビット単位で示す異常制御領域を備え、
前記演算処理手段は、
汎用レジスタを使用せずに前記更新情報記憶手段の所定の領域の所定のビットを設定する命令を実行可能に構成され、
当該遊技機の異常が検出された場合に、前記命令によって、前記更新情報記憶手段の前記異常制御領域の検出された前記異常に対応するビットを設定することを特徴とする遊技機。
【手続補正２】
【補正対象書類名】明細書
【補正対象項目名】０００６
【補正方法】変更
【補正の内容】
【０００６】
本発明の代表的な一形態では、所定の始動条件の成立によりゲームを実行し、該ゲームが特別結果となった場合に遊技者に特典を付与する特別遊技状態を発生させる遊技制御を行う遊技制御手段を備えた遊技機において、前記遊技制御手段は、遊技制御プログラムを記憶する遊技制御プログラム記憶手段と、前記遊技制御プログラムにより所要の演算処理を行う演算処理手段と、前記演算処理手段によって更新される情報が記憶される更新情報記憶手段と、を備え、前記更新情報記憶手段には複数バイトのアドレスが割り当てられ、該アドレスにより該更新情報記憶手段に記憶されている情報が特定され、前記演算処理手段は、前記所定の始動条件の成立に基づき、乱数を抽出し前記ゲームの実行権利として前記更新情報記憶手段の乱数格納領域に記憶可能な記憶手段を備え、汎用レジスタを使用せずに前記更新情報記憶手段の所定の領域をクリアするクリア命令を実行可能に構成され、前記クリア命令によって、前記更新情報記憶手段の前記乱数格納領域の少なくとも一部をクリアする。
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
所定の始動条件の成立に基づいてゲームを実行し、該ゲームが特別結果となった場合に遊技者に特典を付与する遊技状態を発生させる遊技制御を行う遊技制御手段を備えた遊技機において、
前記遊技制御手段は、
遊技制御プログラムを記憶する遊技制御プログラム記憶手段と、
前記遊技制御プログラムにより所要の演算処理を行う演算処理手段と、
前記演算処理手段によって更新される情報が記憶される更新情報記憶手段と、を備え、
前記更新情報記憶手段は、
複数バイトのアドレスが割り当てられ、該アドレスにより該更新情報記憶手段に記憶されている情報が特定され、
所定のアドレスに対応して設けられて所定のスイッチの検出状態を記憶可能なスイッチ制御領域を備え、
前記演算処理手段は、
所定周期で発生する所定の割込み信号に基づいて割込み処理を実行可能であり、
前記割込み処理の実行毎に前記スイッチ制御領域に記憶される値の更新を行い、
汎用レジスタに前記更新情報記憶手段のいずれかの記憶領域の値を記憶することなく、前記記憶領域の値と所定の判定値とに基づいて、前記記憶領域に記憶された値の状態を判定可能な命令を実行可能に構成され、
前記命令によって、前記スイッチの検出状態を判定することを特徴とする遊技機。
【請求項２】
所定の始動条件の成立に基づいてゲームを実行し、該ゲームが特別結果となった場合に遊技者に特典を付与する遊技状態を発生させる遊技制御を行う遊技制御手段を備えた遊技機において、
前記遊技制御手段は、
遊技制御プログラムを記憶する遊技制御プログラム記憶手段と、
前記遊技制御プログラムにより所要の演算処理を行う演算処理手段と、
前記演算処理手段によって更新される情報が記憶される更新情報記憶手段と、を備え、
前記更新情報記憶手段は、
複数バイトのアドレスが割り当てられ、該アドレスにより該更新情報記憶手段に記憶されている情報が特定され、
所定のアドレスに対応して設けられて所定のスイッチの検出状態を記憶可能なスイッチ制御領域を備え、
前記演算処理手段は、
所定周期で発生する所定の割込み信号に基づいて割込み処理を実行可能であり、
前記割込み処理の実行毎に前記スイッチ制御領域に記憶される値の更新を行い、
汎用レジスタに前記更新情報記憶手段のいずれかの記憶領域の値を記憶することなく、前記記憶領域の値と所定の汎用レジスタに記憶された判定値とに基づいて、前記記憶領域に記憶された値の状態を判定可能な命令を実行可能に構成され、
前記命令によって、前記スイッチの検出状態を判定することを特徴とする遊技機。
【手続補正２】
【補正対象書類名】明細書
【補正対象項目名】０００６
【補正方法】変更
【補正の内容】
【０００６】
本発明の代表的な一形態では、所定の始動条件の成立に基づいてゲームを実行し、該ゲームが特別結果となった場合に遊技者に特典を付与する遊技状態を発生させる遊技制御を行う遊技制御手段を備えた遊技機において、前記遊技制御手段は、遊技制御プログラムを記憶する遊技制御プログラム記憶手段と、前記遊技制御プログラムにより所要の演算処理を行う演算処理手段と、前記演算処理手段によって更新される情報が記憶される更新情報記憶手段と、を備え、前記更新情報記憶手段は、複数バイトのアドレスが割り当てられ、該アドレスにより該更新情報記憶手段に記憶されている情報が特定され、所定のアドレスに対応して設けられて所定のスイッチの検出状態を記憶可能なスイッチ制御領域を備え、前記演算処理手段は、所定周期で発生する所定の割込み信号に基づいて割込み処理を実行可能であり、前記割込み処理の実行毎に前記スイッチ制御領域に記憶される値の更新を行い、汎用レジスタに前記更新情報記憶手段のいずれかの記憶領域の値を記憶することなく、前記記憶領域の値と所定の判定値とに基づいて、前記記憶領域に記憶された値の状態を判定可能な命令を実行可能に構成され、前記命令によって、前記スイッチの検出状態を判定する。
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
式：
2019089762.tif 000001
２２、
2019089762.tif 000002
２８、
2019089762.tif 000003
ＩＶ、
2019089762.tif 000004
１１、
2019089762.tif 000005
１５、
2019089762.tif 000006
１６、
2019089762.tif 000007
、
2019089762.tif 000008
、
2019089762.tif 000009
２６、
2019089762.tif 000010
２７、
2019089762.tif 000011
３０、
2019089762.tif 000012
３１、
2019089762.tif 000013
３２、
2019089762.tif 000014
３４、
2019089762.tif 000015
３６、
2019089762.tif 000016
３７、
2019089762.tif 000017
４３、または
2019089762.tif 000018
４４
を有する化合物。
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
（ａ）カプシドタンパク質；および
（ｂ）カナバン病を治療することにおける使用のためのアスパルトアシラーゼ（ＡＳＰＡ）をコードする導入遺伝子と操作可能に連結されたプロモーターを含む核酸；
を含む、組み換えアデノ随伴ウイルス（ｒＡＡＶ）であって、
導入遺伝子が血管内投与によって対象の中枢神経系（ＣＮＳ）組織へ送達され、および、ｒＡＡＶが対象の脳における細胞に感染する、
前記ｒＡＡＶ。
【請求項２】
カプシドタンパク質が、ＡＡＶ９カプシドタンパク質である、請求項１に記載のｒＡＡＶ。
【請求項３】
カプシドタンパク質が、配列番号８で示されるアミノ酸配列を含む、請求項１または２に記載のｒＡＡＶ。
【請求項４】
導入遺伝子が、ＣＮＳ組織と比較して、１つ以上の非ＣＮＳ組織中の方が豊富である１つ以上のマイクロＲＮＡ（ｍｉＲＮＡ）の１つ以上のｍｉＲＮＡ結合部位をさらに含む、請求項１〜３のいずれか一項に記載のｒＡＡＶ。
【請求項５】
ＣＮＳ組織と比較して、１つ以上の非ＣＮＳ組織中の方が豊富である１つ以上のｍｉＲＮＡが、少なくとも２倍豊富である、請求項４に記載のｒＡＡＶ。
【請求項６】
１つ以上の非ＣＮＳ組織が、腎臓組織または網膜組織ではない、請求項４または５に記載のｒＡＡＶ。
【請求項７】
血管内投与のためのｒＡＡＶの用量が、１キログラム当たり１０１０ゲノムコピー〜１０１４ゲノムコピーの範囲内である、請求項１〜６のいずれか一項に記載のｒＡＡＶ。
【請求項８】
ｒＡＡＶが自己相補的である、請求項１〜７のいずれか一項に記載のｒＡＡＶ。
【請求項９】
導入遺伝子が、ＡＳＰＡをコードする核酸配列に操作可能に連結されたプロモーターを含み、任意にここで、プロモーターが、誘導性プロモーター、構成的プロモーター、または組織特異的プロモーターである、請求項１〜８のいずれか一項に記載のｒＡＡＶ。
【請求項１０】
感染した細胞が、乏突起膠細胞、星状細胞、マイクログリア細胞、脳室上皮細胞、シュワン細胞、グリア細胞、または神経細胞である、請求項１〜９のいずれか一項に記載のｒＡＡＶ。
【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
Ｈ１受容体アンタゴニスト及びＨ２受容体アンタゴニストを含むキットであって、
前記Ｈ１受容体アンタゴニストが、セチリジン、レボセチリジン、又はそれらの混合物を含む、キット。
【請求項２】
医薬組成物であって、
Ｈ１受容体アンタゴニスト及びＨ２受容体アンタゴニストを含み、
前記Ｈ１受容体アンタゴニストが、セチリジン、レボセチリジン、又はそれらの混合物を含む、医薬組成物。
【請求項３】
患者において下痢を治療するのに使用するための、請求項１に記載のキット又は請求項２に記載の医薬組成物。
【請求項４】
前記患者が、肥満細胞性腸炎に罹患していない、請求項３に記載のキット又は請求項３に記載の医薬組成物。
【請求項５】
前記患者が、急性下痢に罹患している、請求項３若しくは４に記載のキット又は請求項３若しくは４に記載の医薬組成物。
【請求項６】
前記Ｈ１受容体アンタゴニスト及び前記Ｈ２受容体アンタゴニストが、同時に投与される、請求項１及び３〜５のいずれか一項に記載のキット又は請求項２〜５のいずれか一項に記載の医薬組成物。
【請求項７】
セチリジンが、５〜２０ｍｇの量で投与され、及び／又は、ファモチジンが、１０〜４０ｍｇの量で投与される、請求項１及び３〜６のいずれか一項に記載のキット又は請求項２〜６のいずれか一項に記載の医薬組成物。
【請求項８】
ファモチジン及びセチリジンが、単位剤形として一緒に投与される、請求項１及び３〜７のいずれか一項に記載のキット又は請求項２〜７のいずれか一項に記載の医薬組成物。
【請求項９】
経口剤形である、請求項２〜８のいずれか一項に記載の医薬組成物。
【請求項１０】
前記経口剤形が、複数の単位剤形を含む、請求項９に記載の医薬組成物。
【請求項１１】
前記経口剤形が、ナトリウム、及び、グルコース又はグルコース含有サッカリドをさらに含む、請求項９又は１０に記載の医薬組成物。
【請求項１２】
前記経口剤形が、経口補水溶液をさらに含む、請求項９〜１１のいずれか一項に記載の医薬組成物。
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
ガラスクロスに合成樹脂が含浸され乾燥されることで形成された芯材を準備する芯材の準備工程と、
該芯材の両面を研削加工によって平坦化する芯材平坦化工程と、を有することを特徴とする平坦化された芯材の製造方法。
【請求項２】
該芯材は、複数の該ガラスクロスが積層されていることを特徴とする請求項１に記載の平坦化された芯材の製造方法。
【請求項３】
銅張積層板の製造方法であって、
ガラスクロスに合成樹脂が含浸され乾燥されることで形成された芯材を準備する芯材の準備工程と、
該芯材の両面を研削加工によって平坦化する芯材平坦化工程と、
該芯材平坦化工程で平坦化された芯材の両面にそれぞれ銅箔を配置し、加熱しながら該両面より押圧して銅張積層板を形成する銅張積層板形成工程と、を有することを特徴とする銅張積層板の製造方法。
【請求項４】
該芯材は、複数の該ガラスクロスが積層されていることを特徴とする請求項２に記載の銅張積層板の製造方法。
【手続補正２】
【補正対象書類名】明細書
【補正対象項目名】００１０
【補正方法】変更
【補正の内容】
【００１０】
本発明の一態様によれば、ガラスクロスに合成樹脂が含浸され乾燥されることで形成された芯材を準備する芯材の準備工程と、該芯材の両面を研削加工によって平坦化する芯材平坦化工程と、を有することを特徴とする平坦化された芯材の製造方法が提供される。好ましくは、該芯材は、複数の該ガラスクロスが積層されている。
【手続補正３】
【補正対象書類名】明細書
【補正対象項目名】００１１
【補正方法】変更
【補正の内容】
【００１１】
また、本発明の他の一態様によれば、銅張積層板の製造方法であって、ガラスクロスに合成樹脂が含浸され乾燥されることで形成された芯材を準備する芯材の準備工程と、該芯材の両面を研削加工によって平坦化する芯材平坦化工程と、該芯材平坦化工程で平坦化された芯材の両面にそれぞれ銅箔を配置し、加熱しながら該両面より押圧して銅張積層板を形成する銅張積層板形成工程と、を有することを特徴とする銅張積層板の製造方法が提供される。好ましくは、該芯材は、複数の該ガラスクロスが積層されている。
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
ユーザによって走査されることで媒体上に画像データに基づいて画像を形成する画像形成装置であって、
画像を形成する画像形成部と、
所定の期間における画像形成装置本体の移動量を検知するための移動量検知部と、
前記画像データ及び前記移動量に基づいて、前記画像形成部による画像形成動作を制御する制御部と、
前記媒体との距離を検知するための距離検知部と、を有し、
前記制御部は、前記距離に基づいて前記画像形成動作を停止する画像形成装置。
【請求項２】
前記距離検知部は、波源から媒体に照射した検査波の反射が確認できない場合に浮きを判定する請求項１記載の画像形成装置。
【請求項３】
該画像形成装置の加速度を検知する加速度センサをさらに有し、
前記距離検知部は、該画像形成装置に加えられ前記加速度センサにより検出される加速度と、媒体の摩擦係数とに基づいて浮きを判定する請求項１記載の画像形成装置。
【請求項４】
媒体の摩擦力を検知する摩擦検知センサと、
前記摩擦検知センサにより検出される摩擦力に基づいて、前記摩擦係数を媒体から測定して算出する算出部と、をさらに有する請求項３記載の画像形成装置。
【請求項５】
前記摩擦係数は、予め定められた値を使用する請求項３記載の画像形成装置。
【請求項６】
前記距離検知部は、該画像形成装置が媒体に押し付けられる力に基づいて、前記判定を行う請求項３記載の画像形成装置。
【請求項７】
該画像形成装置が媒体に押し付けられる力を検知する圧力検知センサを
さらに有する請求項６記載の画像形成装置。
【請求項８】
前記制御部は、前記移動量検知部から取得する移動量に基づいて、印刷開始の動き出しを検知した場合、所定の期間前記画像形成動作を停止する請求項１記載の画像形成装置。
【請求項９】
前記制御部は、前記移動量検知部から取得する移動量に基づいて、印刷の一時停止を検知したのち、さらに印刷再開の動き出しを検知した場合、前記画像形成動作を停止する請求項１記載の画像形成装置。
【請求項１０】
ユーザによって走査されることで媒体上に画像データに基づいて画像を形成する画像形成装置が実行する画像形成方法であって、
画像を形成する画像形成手順と、
所定の期間における画像形成装置本体の移動量を検知するための移動量検知手順と、
前記画像データ及び前記移動量に基づいて、前記画像形成手順による画像形成動作を制御する制御手順と、
前記媒体との距離を検知するための距離検知手順と、を有し、
前記制御手順は、前記距離に基づいて前記画像形成動作を停止する手順を含む画像形成方法。
【手続補正２】
【補正対象書類名】明細書
【補正対象項目名】発明の名称
【補正方法】変更
【補正の内容】
【発明の名称】画像形成装置及び画像形成方法
【手続補正３】
【補正対象書類名】明細書
【補正対象項目名】０００６
【補正方法】変更
【補正の内容】
【０００６】
そこで上記課題を解決するため、画像形成装置は、ユーザによって走査されることで媒体上に画像データに基づいて画像を形成し、画像を形成する画像形成部と、所定の期間における画像形成装置本体の移動量を検知するための移動量検知部と、前記画像データ及び前記移動量に基づいて、前記画像形成部の画像形成動作を制御する制御部と、前記媒体との距離を検知するための距離検知部と、を有し、前記制御部は、前記距離に基づいて前記画像形成動作を停止する。
【手続補正書】
【提出日】令和1年5月14日(2019.5.14)
【手続補正１】
【補正対象書類名】明細書
【補正対象項目名】発明の名称
【補正方法】変更
【補正の内容】
【発明の名称】多重袋
【手続補正２】
【補正対象書類名】特許請求の範囲
【補正対象項目名】全文
【補正方法】変更
【補正の内容】
【特許請求の範囲】
【請求項１】
多重袋において、
第１袋と、
前記第１袋を囲む第２袋であって、前記第１袋と隣り合う第２袋と、を備え、
前記第１袋の前記第２袋の側の面および前記第２袋の前記第１袋の側の面のうちの少なくとも一方の面の算術平均粗さＲａが、０．０８μｍ以上２．５０μｍ未満であることを特徴とする多重袋。
【請求項２】
前記第１袋の前記第２袋の側の面および前記第２袋の前記第１袋の側の面のうちの少なくとも一方の面の静摩擦係数が、０．４０以下であることを特徴とする請求項１に記載の多重袋。
【請求項３】
前記第１袋の前記第２袋の側の面の算術平均粗さＲａが、０．０８μｍ以上２．５０μｍ未満であることを特徴とする請求項１または２に記載の多重袋。
【請求項４】
前記第１袋の前記第２袋の側の面の算術平均粗さＲａが、０．１μｍ以上２．５０μｍ未満であることを特徴とする請求項３に記載の多重袋。
【請求項５】
前記第１袋は、前記第２袋の側に配置された外側層を含み、
ＪＩＳ  Ｋ７１３６で規定される前記外側層のヘイズが、８０％以下であることを特徴とする請求項１乃至４のいずれかに記載の多重袋。
【請求項６】
前記第１袋は、前記第２袋の側に配置された外側層を含み、
前記第１袋の前記外側層は、互いに分子量が異なる２つの材料が混合されて形成されていることを特徴とする請求項１乃至４のいずれかに記載の多重袋。
【請求項７】
前記第１袋は、前記第２袋の側に配置された外側層を含み、
前記第１袋の前記外側層は、低密度ポリエチレンと高密度ポリエチレンが混合されて形成されていることを特徴とする請求項１乃至４のいずれかに記載の多重袋。
【請求項８】
前記低密度ポリエチレンの質量％は、前記高密度ポリエチレンの質量％より小さいことを特徴とする請求項７に記載の多重袋。
【請求項９】
前記第２袋の前記第１袋の側の面の算術平均粗さＲａが、０．０８μｍ以上２．５０μｍ未満であることを特徴とする請求項１乃至８のいずれかに記載の多重袋。
【請求項１０】
前記第２袋の前記第１袋の側の面の算術平均粗さＲａが、０．１μｍ以上２．５０μｍ未満であることを特徴とする請求項９に記載の多重袋。
【請求項１１】
前記第２袋は、前記第１袋の側に配置された内側層を含み、
ＪＩＳ  Ｋ７１３６で規定される前記内側層のヘイズが、８０％以下であることを特徴とする請求項１乃至１０のいずれかに記載の多重袋。
【請求項１２】
前記第１袋と前記第２袋とを一体にシールして形成された密閉シール部をさらに備えることを特徴とする請求項１乃至１１のいずれかに記載の多重袋。
【請求項１３】
前記多重袋は、前記第２袋を囲む第３袋であって、前記第２袋と隣り合う第３袋をさらに備えることを特徴とする請求項１乃至１２のいずれかに記載の多重袋。